(57)【特許請求の範囲】
【請求項１】
揺動選別板（２５）の始端部を上下分割した前フィードパン（２６）とその下後方に後フィードパン（２７）を配設すると共に、２番還元筒（３６）により還元された２番還元物を攪拌処理する攪拌処理室を扱室（２２）の下方で扱胴（６）に対して直行するように配設し更に、前記攪拌処理された２番還元物を揺動選別板（２５）の前部に還元して揺動選別するコンバインの揺動選別装置において、
攪拌処理胴（３０）を内装した攪拌処理室を前記前フィードパン（２６）の下方で後フィードパン（２７）の前端部近傍に配設し、前記前・後フィードパン（２６）、（２７）の間で後フィードパン（２７）の始端部に前記攪拌処理室で処理された２番物を風と一緒に送給する放出開口（５０）を２番還元筒（３６）に対して反対側に設けたことを特徴とするコンバインの揺動選別装置。
【発明の詳細な説明】
【０００１】
【発明の属する技術分野】
本発明はコンバインの揺動選別装置にあって、揺動選別板の選別巾を有効に利用できるように被選別物を均平にする技術に関する。
【０００２】
【従来の技術】
従来、揺動選別板前部にリード弁を設け、２番還元物の分散（揺動選別板前部の被選別物の均平）を図る技術や２番還元物の揚穀筒に処理胴を設けた
ものは公知となっている。
【０００３】
【発明が解決しようとする課題】
前記従来技術は、塵や未処理の藁屑を処理胴で再度脱粒作用をした後、リード板で分散させるようにしていたが２番還元物は揺動選別板の前部へ同時に放出されてりード板が充分に且つ均平に分散されず、充分な効果が得難い問題があった。
【０００４】
【課題を解決するための手段】
上記課題を達成するため、本発明は、請求項１に記載したように、揺動選別板（２５）の始端部を上下分割した前フィードパン（２６）とその下後方に後フィードパン（２７）を配設すると共に、２番還元筒（３６）により還元された２番還元物を攪拌処理する攪拌処理室を扱室（２２）の下方で扱胴（６）に対して直行するように配設し更に、前記攪拌処理された２番還元物を揺動選別板（２５）の前部に還元して揺動選別するコンバインの揺動選別装置において、
攪拌処理胴（３０）を内装した攪拌処理室を前記前フィードパン（２６）の下方で後フィードパン（２７）の前端部近傍に配設し、前記前・後フィードパン（２６）、（２７）の間で後フィードパン（２７）の始端部に前記攪拌処理室で処理された２番物を風と一緒に送給する放出開口（５０）を２番還元筒（３６）に対して反対側に設けた構成したものである。
２番還元物を揺動選別板前部に直接落さず、攪拌処理胴で脱粒作用を行いながら横方向へ送りながら且つ揺動選別板の幅方向に充分に拡散を可能とし、塵、藁屑、穀粒が選別され、選別巾を有効に利用して狭い選別巾で大容量の選別処理を可能とする。
【０００５】
【発明の実施の形態】
以下、本発明の実施例を図面に基づいて詳述する。図１は本発明に係る攪拌処理胴の側面図、図２はコンバインの全体側面図、図３は同平面図であり、図中（１）は走行クローラ（２）を裝設するトラックフレーム、（３）は前記トラックフレーム（１）に架設する機台、（４）はフィードチェン（５）を左側に張架し扱胴（６）及び処理胴（７）を内蔵している脱穀部、（８）は刈刃（９）及び穀桿搬送機構（１０）などを備える刈取部、（１１）は刈取フレーム（１２）を介して刈取部（８）を昇降させる油圧シリンダ、（１３）は排藁チェン（１４）終端を臨ませる排藁処理部、（１５）は脱穀部（４）からの穀粒を揚穀筒（１６）を介して搬入する穀物タンク、（１７）は前記タンク（１５）の穀粒を機外に搬出する排出オーガ、（１８）は右側にドア（１８ａ）を有し、且つ、室内に運転操作部（１９）及び運転席（２０）を備える運転キャビン、（２１）は運転キャビン（１８）下方に設けるエンジンであり、連続的に穀桿を刈取って脱穀するように構成している。
【０００６】
図４乃至図５に示す如く、図中（２２）は機体の前後方向に軸架する軸流型の扱胴（６）を内設させる扱室、（２３）は前記扱室（２２）に穀桿を挿入する扱口、（２４）は前記扱室（２２）下方に張架させるクリンプ網、（２５）は前記クリンプ網（２４）下方に前端を臨ませて前後方向に揺動自在に支持する揺動選別板、（２６）、（２７）は前記クリンプ網（２４）の下方に上下２段に配設する選別板（２５）の前・後フィードパン、（３１）は後フィードパン（２７）後端後方に連設するチャフシーブ、（３２）はチャフシーブ（３１）下方に配設するグレンシーブ、（３０）は前・後フィードパン（２６）、（２７）の上下間に風と２番処理物を送給する攪拌処理胴である。
【０００７】
（３３）はチャフシーブ（３１）とグレンシーブ（３２）間及びグレンシーブ（３２）下方に選別風を送給するメインの送風装置である唐箕、（３４）は揚穀筒（１６）に連通させて穀物タンク（１５）に穀粒を取出す１番コンベア、（３６）は２番還元物を２番コンベア（３５）を介し前記攪拌処理胴（３０）の上方に還元する２番還元コンベアを内装した２番還元筒、（３７）は前記選別板（２５）の後端上方に配設する吸排塵ファンであり、前記扱胴（６）及び攪拌処理胴（３０）により脱穀された穀粒を揺動選別板（２５）で選別し整粒のみを前記穀物タンク（１５）に取出すと共に、排藁を排藁チェン（１４）を介し排藁処理部（１３）に送り込んで排藁カッタ（３８）による切断後機外に排出させるように構成している。
【０００８】
また前記揺動選別板（２５）は図１に示すように後側のローラ（３９）を脱穀側板（４０）に揺動駆動軸（４１）及びクランク軸（４２）を介し回転自在に支持させると共に、左右脱穀側板（４０）内側面に前低後高状に傾斜固設する断面コ形の揺動駆動ガイドレール（４３）に、選別板（２５）前側のローラ（４４）を嵌合支持させて、前記駆動軸（４１）の回転時選別板（２５）後側の該軸（４１）を中心とした円運動で、前側をガイドレール（４３）に沿う直線往復運動とさせて、上下幅が小さく前後幅が大きい楕円軌跡（４５）で選別板（２５）を前後及び上下に揺動するように構成している。
【０００９】
そして、図１及び図４に示すように、前記揺動選別板（２５）前方下方に設けた攪拌処理胴（３０）へ２番コンベアからの２番還元物を２番還元筒（３６）により供給するのであるが前記、２番還元筒（３６）先端の放出羽根（４６）で前記攪拌処理胴（３０）のケーシング（４７）の取り込み開口（４８）に放出供給し、前記攪拌処理胴（３０）の処理歯（４９）で脱粒及び送り作用を与えながら前記攪拌処理胴（３０）のケーシング（４７）の放出開口（５０）から前・後フィードパン（２６）、（２７）へはねだし供給され、前記リード板（２８）、（２９）により前記選別板（２５）の幅方向の略全幅にわたって分散されるようになるのである。この時、前記２番還元筒（３６）から供給される２番還元物の一部は前記上下の前・後フィードパン（２６）、（２７）の中、前フィードパン（２６）に供給されリード板（２８）によりリード案内されて分散されるのである。
【００１０】
また、図１乃至図５に示す如く、前記唐箕（３３）は前・後フィードパン（２６）、（２７）の下位置の前方位置に設けるもので、唐箕（３３）の唐箕ケース（５１）前面と、後フィードパン（２７）の底部間を送風口として開設する一方、前記唐箕（３３）の上方にはグレンシーブ（３２）に連なる天井板を配設して、チャフシーブ（３１）とグレンシーブ（３２）間及びグレンシーブ（３２）下方にそれぞれ選別風を送給し、風選作用を受けるのである。チャフシーブ（３１）とグレンシーブ（３２）から落下する穀物や塵に唐箕（３３）からの選別風を、またチャフシーブ（３１）やグレンシーブ（３２）から落下する穀物や塵に唐箕（３９）からの選別風をそれぞれ別個に作用させて選別性能の安定向上を図るように構成している。
【００１１】
さらに、前記リード板（２８）、（２９）の作用によって前後のフィードパン（２６）、（２７）やチャフシーブ（３１）での穀粒と塵と藁屑の分散化を促進させることができると共に、攪拌処理胴（３０）に２番還元筒（３６）の還元口を臨ませて、２番還元物の分散化も図って、限定された選別巾内で大容量の穀物の処理を有効に可能とさせるように構成したものである。
【００１２】
尚、攪拌処理胴（３０）の処理幅つまり作用幅を前記扱胴（６）の軸心と交差させるように設けるとともに放出開口（５０）を前記２番還元筒（３６）と反対側に設け全巾を有効に利用でき、被選別物の均平化が効果的に行えるので有効である。
【００１３】
【発明の効果】
以上実施例から明らかなように本発明は、請求項１に記載したように、
揺動選別板（２５）の始端部を上下分割した前フィードパン（２６）とその下後方に後フィードパン（２７）を配設すると共に、２番還元筒（３６）により還元された２番還元物を攪拌処理する攪拌処理室を扱室（２２）の下方で扱胴（６）に対して直行するように配設し更に、前記攪拌処理された２番還元物を揺動選別板（２５）の前部に還元して揺動選別するコンバインの揺動選別装置において、
攪拌処理胴（３０）を内装した攪拌処理室を前記前フィードパン（２６）の下方で後フィードパン（２７）の前端部近傍に配設し、前記前・後フィードパン（２６）、（２７）の間で後フィードパン（２７）の始端部に前記攪拌処理室で処理された２番物を風と一緒に送給する放出開口（５０）を２番還元筒（３６）に対して反対側に設けたことで、２番還元物を揺動選別板前部のフィードパンに直接落さず、攪拌処理胴にて処理することで、従来のリード弁とは異なって塵が筋状になって後方に送られることなく塵の分散が確実に行われ、被選別物の均平化を実現でき、また攪拌処理胴を広幅にすることにより藁屑、穀粒が攪拌され大容量の選別処理が行えるものである。
更に、攪拌処理室を揺動選別板の前端部に設けることにより脱穀部の機体高さをコンパクトに構成することができる。また、唐箕から起風される選別風と攪拌処理胴から起風される風が協働して揺動選別板の始端部から後端部に亘って作用する選別風とフィードパンの作用面に設けたリード板の作用によって揺動選別板により広く均等に穀粒（２番還元物を含む）を飛散して選別させることが可能となる。
【図面の簡単な説明】
【図１】本発明に係る攪拌処理胴部分の要部断面図。
【図２】コンバインの全体側面図。
【図３】コンバインの全体平面図。
【図４】攪拌処理胴からの作用図。
【図５】脱穀部の断面側面図。
【符号の説明】
（６）      扱胴
（２２）    扱室
（２５）    揺動選別板
（２６）    前フィードパン
（２７）    後フィードパン
（２８）    リード板
（２９）    リード板
（３０）    攪拌処理胴
（３６）    ２番還元筒
【図１】
0003592430.tif 000002
【図２】
0003592430.tif 000003
【図３】
0003592430.tif 000004
【図４】
0003592430.tif 000005
【図５】
0003592430.tif 000006